【事件の表示】
　平成　５年特許願第１４４５０３号「穀粒乾燥機の穀粒排出制御装置」拒絶査定に対する審判事件［平成　７年　１月１０日出願公開、特開平　７−　　４８４０］について、次のとおり審決する。
【結　論】
　本件審判の請求は、成り立たない。
【理　由】
１．手続の経緯・本願発明
　本願は、平成５年６月１６日の出願であって、請求項１に係る発明（以下、「本願発明」という。）は、平成１４年６月１０日付け提出の手続補正書により補正された明細書及び図面の記載からみて、その特許請求の範囲の請求項１に記載された次のとおりのものである。　
　
「【請求項１】　穀粒貯留室８に張り込んだ穀粒を穀粒乾燥室９へ繰出し流下させる繰出バルブ１２を駆動する繰出バルブモータ２０を設け、前記穀粒乾燥室９を流下する穀粒に、排風機１６の起風によって乾燥風発生装置３からの熱風を供給すべく構成し、この乾燥風発生装置３のバーナ４の送風機２４を駆動する送風機モータ２５を備えると共に、該送風機モータ２５はインバータ２１により回転数制御されて駆動されるよう構成した穀粒乾燥機において、穀粒排出時には前記繰出バルブモータ２０の電源を前記インバータ２１の出力へ切替接続したことを特徴とする穀粒乾燥機の穀粒排出制御装置。」
　　
２．引用文献記載の発明
　これに対して、原査定の拒絶の理由に引用された、本願の出願前に頒布された特開昭６３−４６３７８号公報（以下、「引用例１」という。）には、次のように記載されている。
　　
「上部の貯留室（１）から下部の乾燥室（２）へ穀粒を流下させる繰出バルブ（３）、及びこの繰出バルブ（３）で繰出した穀粒を受けて一側へ移送する下部移送螺旋（４）等を回転駆動するバルブ用モータ（５）と、バーナ（６）から発生する熱風を該乾燥室（２）へ通風させて吸引排風させる排風機（７）を回転駆動する排風機用モータ（８）と、穀粒を上部へ搬送する昇穀機（９）、及びこの昇穀機（９）で搬送した穀粒を受けて該貯留室（１）内へ移送供給する上部移送螺旋（１０）等を回転駆動する昇降機用モータ（１１）とを設け、これら各モータ（５）、（８）、（１１）を張込作業、乾燥作業、排出作業の各作業別に始動、及び停止等の操作を行なう張込作業始動装置（１２）、乾燥作業始動装置（１３）、排出作業始動装置（１４）、及び停止装置（１５）等を設け、これら各始動装置（１２）、（１３）、（１４）の操作に連動して該各モータ（５）、（８）、（１１）を一般電源により直接回転駆動とインバータ（１６）を介して回転駆動とに切換える切換制御装置を設けたことを特徴とする穀粒乾燥機のモータ制御装置。」（特許請求の範囲）、
　　
「乾燥作業を行なうときには、乾燥作業始動装置（１３）を操作することにより、該排風機用モータ（８）は該切換制御装置で該インバータ（１６）が制御され、このインバータ（１６）で高速回転に制御されて、この排風機用モータ（８）は高速回転で回転し、該昇穀機用モータ（１１）と該バルブ用モータ（５）とは一般電源により低速回転で回転し、これら各モータ（８）、（１１）、（５）の回転により、該昇穀機（９）、該上部移送螺旋（１０）、該排風機（７）、繰出バルブ（３）及び下部移送螺旋（４）が回転駆動すると同時に、バーナ（６）から熱風が発生しこの熱風が該排風機（７）で吸われることにより、乾燥室（２）を通風してこの排風機（７）で吸引排風され、該貯留室（１）内に収容した穀粒は、この貯留室（１）から該乾燥室（２）内を流下中にこの熱風に晒されて乾燥され、該繰出バルブ（３）で下部へと繰出され循環が繰返されて乾燥する。」（第２頁右下欄第１６行〜第３頁左上欄第１３行）、
　　
「繰出作業を行なうときには、排出作業始動装置（１４）を操作することにより、前記バルブ用モータ（５）は前記切換制御装置で前記インバータ（１６）が制御され、このインバータ（１６）で高速回転に制御されて、このバルブ用モータ（５）は高速回転で回転し、前記昇穀機用モータ（１１）と前記排風機用モータ（８）とは一般電源により低速回転で回転し、これら各モータ（５）、（１１）、（８）の回転により、該繰出バルブ（３）、該下部移送螺旋（４）、前記昇穀機（９）、前記上部移送螺旋（１０）及び前記排風機（７）が回転駆動し、該乾燥済み穀粒を該繰出バルブ（３）、該下部移送螺旋（４）及び該昇穀機（９）を経て機外へ排出する。」（第３頁左上欄第１４行〜右上欄第７行）、
　　
「この発明により、各作業別に各モータ（５）、（８）、（１１）を始動及び停止等の操作を行なう各始動装置（１２）、（１３）、（１４）の操作に連動して、インバータ（１６）でこれら各モータ（５）、（８）、（１１）の内のいずれかのモータが制御されて回転数が変更制御されることにより、該インバータ（１６）は一個使用するだけでよく、このため低価格の装置になり、又各作業別でその作業で一番回転数を変更制御すると性能が向上する個所を駆動する該モータ（５）、（８）、（１１）の回転数を変更制御することにより、各作業別に性能が向上する。」（第３頁右上欄第９行〜第２０行）、
　　
　また、穀粒乾燥機において、バーナにより熱風を発生する熱風発生装置に、送風機及び変速モータを設け、この変速モータの回転により該送風機を回転駆動して供給燃料量に見合った燃焼空気をバーナへ供給することは従来周知である（必要とあれば、特開平２−１０１３１５号公報、特開昭６３−３０６３０８号公報　参照）。そして、引用例１の第３図及び第４図に記載された熱風を発生する装置の部材の配置、及びその側面視形状等は上記周知例において示された熱風発生装置の部材の配置、及びその側面視形状と同じ形状で示されている。これらからみて、引用例１に記載の熱風を発生する装置における、バーナケース２０の上板に載置された部材は周知例と同様バーナ６に燃焼空気を供給する送風機と認められると共に、その上に配された部材は周知例と同様送風機を回転駆動する変速モータと認められる。すなわち、引用例１に記載の熱風を発生する装置には、バーナ６に燃焼空気を供給する送風機と該送風機を回転駆動する変速モータが設けられているものと認められる。しかも、ここに記載の「変速モータ」は、送風機を回転駆動して供給燃料量に見合った燃焼空気をバーナへ供給するものであるから、回転数制御されるものと認められる。
　　
　さらに、引用例１に記載の「穀粒乾燥機のモータ制御装置」は、乾燥作業を行なうときには、繰出バルブ（３）を駆動するバルブ用モータ（５）を一般電源により低速回転で回転し、また、排出作業を行なうときには、前記バルブ用モータ（５）をインバータ（１６）で制御して高速回転で回転するよう自動的に切換え制御するものであるから、「穀粒乾燥機の穀粒排出制御装置」といい得る。
　　
　上記の記載事項及び図面の記載からみて、引用例１には、
「貯留室（１）に張り込んだ穀粒を乾燥室（２）へ繰出し流下させる繰出バルブ（３）を駆動するバルブ用モータ（５）を設け、前記乾燥室（２）を流下する穀粒に、排風機（７）の起風によって「熱風を発生する装置」からの熱風を供給すべく構成し、この「熱風を発生する装置」のバーナ（６）の送風機を駆動する変速モータを備えると共に、排風機用モータ（８）はインバータ（１６）により回転数制御されて駆動されるよう構成した穀粒乾燥機において、穀粒の排出作業を行なうときには前記バルブ用モータ（５）の電源を前記インバータ（１６）の出力へ切替接続したことを特徴とする穀粒乾燥機の穀粒排出制御装置」
が記載されている。
　　
３．対比
　本願発明と引用例１に記載の発明とを対比すると、引用例１に記載の発明における「貯留室（１）」、「乾燥室（２）」、「繰出バルブ（３）」、「バルブ用モータ（５）」、「排風機（７）」、「バーナ（６）」、「送風機」、「変速モータ」、「インバータ（１６）」、「穀粒乾燥機」、「穀粒の排出作業を行なうとき」、「穀粒乾燥機の穀粒排出制御装置」は、その機能に照らし、本願発明における「穀粒貯留室８」、「穀粒乾燥室９」、「繰出バルブ１２」、「繰出バルブモータ２０」、「排風機１６」、「バーナ４」、「送風機２４」、「送風機モータ２５」、「インバータ２１」、「穀粒乾燥機」、「穀粒排出時」、「穀粒乾燥機の穀粒排出制御装置」に、それぞれに相当する。
　　
　また、引用例１に記載された「熱風を発生する装置」は、該装置で発生した熱風が排風機（７）で吸われることにより乾燥室（２）を通風し、乾燥室（２）内を流下する穀粒を乾燥するものであるから、本願発明における「乾燥風発生装置３」に相当する。
　　
　したがって、上記両者は、
「穀粒貯留室に張り込んだ穀粒を穀粒乾燥室へ繰出し流下させる繰出バルブを駆動する繰出バルブモータを設け、前記穀粒乾燥室を流下する穀粒に、排風機の起風によって乾燥風発生装置からの熱風を供給すべく構成し、この乾燥風発生装置のバーナの送風機を駆動する送風機モータを備えると共に、該送風機モータは回転数制御されて駆動されるよう構成した穀粒乾燥機において、穀粒排出時には前記繰出バルブモータの電源をインバータの出力へ切替接続したことを特徴とする穀粒乾燥機の穀粒排出制御装置」
の点で一致し、下記相違点（ａ）で相違している。
　　
（ａ）本願発明では、「送風機モータはインバータにより回転数制御されて駆動されるよう構成した」穀粒乾燥機において、穀粒排出時には繰出バルブモータの電源を前記インバータの出力へ切替接続したのに対し、
　引用例１に記載の発明では、「排風機用モータはインバータにより回転数制御されて駆動されるよう構成した」穀粒乾燥機において、穀粒排出時には繰出バルブモータの電源を前記インバータ（すなわち、排風機用モータを回転数制御するインバータ）の出力へ切替接続した点。
　　
４．当審の判断
　そこで、上記相違点（ａ）について以下検討する。
　　
　引用例１には、送風機を駆動する変速モータ（すなわち、送風機を駆動する送風機モータ）の回転数制御をどのように行なうかについて記載はないものの、モータをインバータにより回転数制御することは従来良く知られた周知の事項である。
　
　してみると、引用例１に記載の発明において、変速モータ（すなわち、送風機モータ）をインバータにより回転数制御されて駆動されるよう構成することは当業者が普通に採用し得る設計上の事項であるとともに、
　「排風機を駆動する排風機用モータの回転数制御をするインバータ」に代えて、乾燥工程でのみ用い、穀粒排出時には用いることのない「送風機を駆動する送風機モータの回転数制御をするインバータ」を用い、穀粒排出時には繰出バルブモータの電源を上記インバータの出力へ切替接続すること、すなわち相違点（ａ）における本願発明の構成とすることは、いずれも穀粒乾燥機において穀粒排出時には用いることのない、あるいは用いる必要のないインバータの兼用であるとともに、このように構成するのに阻害要因もないことから当業者が容易に想到し得たものである。
　　
　そして、本願発明が奏する作用、効果は、引用例１に記載の発明、及び上記周知の事項から容易に予測することができたものである。
　　
５．むすび
　以上のとおりであるから、本願発明は、引用例１に記載の発明、及び上記周知の事項に基づいて当業者が容易に発明をすることができたものであるので、特許法第２９条第２項の規定により特許を受けることができない。
　
　よって、結論のとおり審決する。